(57)【要約】【課題】記録媒体の種類を設定する場合において記録媒体を用いるユーザが特定のユーザである場合に限り、過去に設定された記録媒体の種類の情報を用いて処理を行う。【解決手段】自装置に対して設定されている記録媒体の種類が設定される直前にユーザにより設定されていた記録媒体の種類を、記録媒体の大きさおよびユーザと関連付けて記憶する記憶手段と、ユーザが行う動作又は指示に基づいて設定された記録媒体の大きさを識別可能なサイズ情報およびユーザを識別可能なユーザ情報を取得する取得手段と、取得手段によりユーザ情報およびサイズ情報が取得された場合に、ユーザ情報およびサイズ情報により識別されるユーザおよび記録媒体の大きさが、記憶手段に記憶されているユーザおよび記録媒体の大きさと一致するか否かを判定する判定手段と、判定手段により一致と判定された場合には、記憶手段に記憶されている記録媒体の種類の情報を用いて処理を行う処理手段と、備える。【選択図】図８
2019188694.tif 000002
【特許請求の範囲】
【請求項１】
自装置に対して設定されている記録媒体の種類が設定される直前にユーザにより設定されていた記録媒体の種類を、当該記録媒体の大きさおよび当該ユーザと関連付けて記憶する記憶手段と、
ユーザが行う動作又は指示に基づいて設定された記録媒体の大きさを識別可能なサイズ情報および当該ユーザを識別可能なユーザ情報を取得する取得手段と、
前記取得手段により前記ユーザ情報および前記サイズ情報が取得された場合に、当該ユーザ情報および当該サイズ情報により識別される前記ユーザおよび前記記録媒体の大きさが、前記記憶手段に記憶されている前記ユーザおよび前記記録媒体の大きさと一致するか否かを判定する判定手段と、
前記判定手段により前記一致と判定された場合には、前記記憶手段に記憶されている前記記録媒体の種類の情報を用いて処理を行う処理手段と、
を備えた、処理装置。
【請求項２】
前記記憶手段は、自装置に対して設定されている記録媒体の種類が更新されると、当該更新の直前に設定されていた記録媒体の種類を、前記判定手段による前記判定に用いられる対象として適用することを特徴とする請求項１記載の処理装置。
【請求項３】
前記記憶手段は、前記判定手段による前記判定に用いられる対象としての記録媒体の種類を記憶している場合において、自装置に対して設定されている記録媒体の種類が更新されると、当該判定に用いられる対象を、当該更新の直前に設定されていた記録媒体の種類に更新することを特徴とする請求項２記載の処理装置。
【請求項４】
前記記憶手段は、記憶する記憶対象として予め定められた記録媒体の収容部に収容されている記録媒体に対して設定された種類を記憶する一方、当該記憶対象として定められていない収容部に収容されている記録媒体に対して設定された種類を記憶しないことを特徴とする請求項１記載の処理装置。
【請求項５】
前記記憶手段は、前記記憶対象として予め定められた前記収容部に収容され当該記憶対象として予め定められた大きさである記録媒体に対して設定された種類を記憶する一方、当該収容部に収容され当該記憶対象として定められていない大きさである記録媒体に対して設定された種類を記憶しないことを特徴とする請求項４記載の処理装置。
【請求項６】
前記処理手段が行う前記処理は、大きさが設定された前記記録媒体の種類を、前記記憶手段に記憶されている前記記録媒体の種類に設定することを前記ユーザに提案する処理であり、
前記記憶手段は、前記提案が前記ユーザに拒否された場合、記憶している前記記録媒体の種類を、前記判定手段による判定に用いられる対象から外すことを特徴とする請求項１記載の処理装置。
【請求項７】
前記処理手段は、前記記憶手段により記録媒体の第１の種類が当該記録媒体の第１の大きさおよび第１のユーザと関連付けられて記憶されている場合において、記録媒体の大きさおよび種類を当該第１の大きさおよび第２の種類に設定するための当該第１のユーザの指示を端末装置を介して受けた場合、当該記録媒体の種類を当該第２の種類に設定することを特徴とする請求項１記載の処理装置。
【請求項８】
前記処理手段は、前記記憶手段により記録媒体の第１の種類が当該記録媒体の第１の大きさおよび第１のユーザと関連付けられて記憶されている場合において、記録媒体の大きさおよび種類を当該第１の大きさおよび第２の種類に設定するための当該第１のユーザの指示を端末装置を介して受けた場合、当該記録媒体の種類を当該第１の種類に設定することを特徴とする請求項１記載の処理装置。
【請求項９】
前記処理手段は、前記取得手段が前記ユーザ情報および前記サイズ情報を取得した場合において、前記判定手段により前記一致と判定されなかった場合に、予め定められた記録媒体の種類の情報を用いて処理を行うことを特徴とする請求項１記載の処理装置。
【請求項１０】
コンピュータに、
処理装置に対して設定されている記録媒体の種類が設定される直前にユーザにより設定されていた記録媒体の種類を、当該記録媒体の大きさおよび当該ユーザと関連付けて記憶する機能と、
ユーザが行う動作又は指示に基づいて設定された記録媒体の大きさを識別可能なサイズ情報および当該ユーザを識別可能なユーザ情報を取得する機能と、
前記ユーザ情報および前記サイズ情報が取得された場合に、当該ユーザ情報および当該サイズ情報により識別される前記ユーザおよび前記記録媒体の大きさが、記憶されている前記ユーザおよび前記記録媒体の大きさと一致するか否かを判定する機能と、
前記一致と判定された場合には、記憶されている前記記録媒体の種類の情報を用いて処理を行う機能と、
を実現させるためのプログラム。
【発明の詳細な説明】
【技術分野】
【０００１】
本発明は、処理装置およびプログラムに関する。
【背景技術】
【０００２】
特許文献１には、設定された用紙サイズと組み合わせて前回設定された用紙性質を選択状態にした用紙性質設定画面をタッチパネルに表示することが開示されている。
特許文献２には、画像形成を行う用紙として特定の用紙サイズを選択したときに、この特定の用紙サイズに対応づけられた紙質を自動的に選択することが開示されている。
特許文献３には、一般ユーザが行う紙質の変更は、ＯＨＰシートやコート紙、タブ紙等、特殊な用紙への一時的な変更であることが多いことから、自動的に元の紙質設定に戻すことが開示されている。
【先行技術文献】
【特許文献】
【０００３】
【特許文献１】特開２０１６−４９６６３号公報
【特許文献２】特開２００５−８４４３５号公報
【特許文献３】特開２００５−２２２０３１号公報
【発明の概要】
【発明が解決しようとする課題】
【０００４】
処理装置では、例えば、記録媒体の種類を設定する場合に、この記録媒体と同じ大きさである記録媒体に対して過去に設定された種類の情報を用いて処理を行うことがある。しかしながら、一のユーザが用いる記録媒体の種類を設定する場合に、このユーザが過去に記録媒体の種類を設定したユーザであるか否かに関わらず過去に設定された種類の情報が用いられると、場合によっては、ユーザが意図しない記録媒体の種類の情報を用いた処理が行われることがある。
【０００５】
本発明の目的は、記録媒体の種類を設定する場合において記録媒体を用いるユーザが特定のユーザである場合に限り、過去に設定された記録媒体の種類の情報を用いて処理を行うことにある。
【課題を解決するための手段】
【０００６】
請求項１に記載の発明は、自装置に対して設定されている記録媒体の種類が設定される直前にユーザにより設定されていた記録媒体の種類を、当該記録媒体の大きさおよび当該ユーザと関連付けて記憶する記憶手段と、ユーザが行う動作又は指示に基づいて設定された記録媒体の大きさを識別可能なサイズ情報および当該ユーザを識別可能なユーザ情報を取得する取得手段と、前記取得手段により前記ユーザ情報および前記サイズ情報が取得された場合に、当該ユーザ情報および当該サイズ情報により識別される前記ユーザおよび前記記録媒体の大きさが、前記記憶手段に記憶されている前記ユーザおよび前記記録媒体の大きさと一致するか否かを判定する判定手段と、前記判定手段により前記一致と判定された場合には、前記記憶手段に記憶されている前記記録媒体の種類の情報を用いて処理を行う処理手段と、を備えた、処理装置である。
請求項２に記載の発明は、前記記憶手段は、自装置に対して設定されている記録媒体の種類が更新されると、当該更新の直前に設定されていた記録媒体の種類を、前記判定手段による前記判定に用いられる対象として適用することを特徴とする請求項１記載の処理装置である。
請求項３に記載の発明は、前記記憶手段は、前記判定手段による前記判定に用いられる対象としての記録媒体の種類を記憶している場合において、自装置に対して設定されている記録媒体の種類が更新されると、当該判定に用いられる対象を、当該更新の直前に設定されていた記録媒体の種類に更新することを特徴とする請求項２記載の処理装置である。
請求項４に記載の発明は、前記記憶手段は、記憶する記憶対象として予め定められた記録媒体の収容部に収容されている記録媒体に対して設定された種類を記憶する一方、当該記憶対象として定められていない収容部に収容されている記録媒体に対して設定された種類を記憶しないことを特徴とする請求項１記載の処理装置である。
請求項５に記載の発明は、前記記憶手段は、前記記憶対象として予め定められた前記収容部に収容され当該記憶対象として予め定められた大きさである記録媒体に対して設定された種類を記憶する一方、当該収容部に収容され当該記憶対象として定められていない大きさである記録媒体に対して設定された種類を記憶しないことを特徴とする請求項４記載の処理装置である。
請求項６に記載の発明は、前記処理手段が行う前記処理は、大きさが設定された前記記録媒体の種類を、前記記憶手段に記憶されている前記記録媒体の種類に設定することを前記ユーザに提案する処理であり、前記記憶手段は、前記提案が前記ユーザに拒否された場合、記憶している前記記録媒体の種類を、前記判定手段による判定に用いられる対象から外すことを特徴とする請求項１記載の処理装置である。
請求項７に記載の発明は、前記処理手段は、前記記憶手段により記録媒体の第１の種類が当該記録媒体の第１の大きさおよび第１のユーザと関連付けられて記憶されている場合において、記録媒体の大きさおよび種類を当該第１の大きさおよび第２の種類に設定するための当該第１のユーザの指示を端末装置を介して受けた場合、当該記録媒体の種類を当該第２の種類に設定することを特徴とする請求項１記載の処理装置である。
請求項８に記載の発明は、前記処理手段は、前記記憶手段により記録媒体の第１の種類が当該記録媒体の第１の大きさおよび第１のユーザと関連付けられて記憶されている場合において、記録媒体の大きさおよび種類を当該第１の大きさおよび第２の種類に設定するための当該第１のユーザの指示を端末装置を介して受けた場合、当該記録媒体の種類を当該第１の種類に設定することを特徴とする請求項１記載の処理装置である。
請求項９に記載の発明は、前記処理手段は、前記取得手段が前記ユーザ情報および前記サイズ情報を取得した場合において、前記判定手段により前記一致と判定されなかった場合に、予め定められた記録媒体の種類の情報を用いて処理を行うことを特徴とする請求項１記載の処理装置である。
請求項１０に記載の発明は、コンピュータに、処理装置に対して設定されている記録媒体の種類が設定される直前にユーザにより設定されていた記録媒体の種類を、当該記録媒体の大きさおよび当該ユーザと関連付けて記憶する機能と、ユーザが行う動作又は指示に基づいて設定された記録媒体の大きさを識別可能なサイズ情報および当該ユーザを識別可能なユーザ情報を取得する機能と、前記ユーザ情報および前記サイズ情報が取得された場合に、当該ユーザ情報および当該サイズ情報により識別される前記ユーザおよび前記記録媒体の大きさが、記憶されている前記ユーザおよび前記記録媒体の大きさと一致するか否かを判定する機能と、前記一致と判定された場合には、記憶されている前記記録媒体の種類の情報を用いて処理を行う機能と、を実現させるためのプログラムである。
【発明の効果】
【０００７】
請求項１の発明によれば、記録媒体の種類を設定する場合において記録媒体を用いるユーザが特定のユーザである場合に限り、過去に設定された記録媒体の種類の情報を用いて処理を行うことができる。
請求項２の発明によれば、記録媒体の種類が更新される直前に種類が設定されていた記録媒体の大きさが設定された場合に、更新の直前に設定されていた記録媒体の種類の情報を用いた処理を行うことができる。
請求項３の発明によれば、記録媒体の種類が更新されても、判定に用いられていた記録媒体の種類を判定に用いられる対象から外さない場合に比べて、ユーザが意図しない記録媒体の種類の情報を用いた処理が行われることを抑制できる。
請求項４の発明によれば、記録媒体の種類の情報を用いた処理が行われる対象を収容部ごとに定めることができる。
請求項５の発明によれば、記録媒体の種類の情報を用いた処理が行われる対象を記録媒体の大きさごとに定めることができる。
請求項６の発明によれば、提案がユーザに拒否されても記憶されている記録媒体の種類を判定に用いられる対象から外さない場合に比べて、記録媒体の種類の設定においてユーザが意図しない記録媒体の種類が再度ユーザに提案されることを抑制できる。
請求項７の発明によれば、ユーザが意図した記録媒体の種類を指定したにも関わらず、記録媒体の種類が、ユーザが意図しない記録媒体の種類に設定されることを防止できる。
請求項８の発明によれば、ユーザが意図しない記録媒体の種類が指定された場合に、記録媒体の種類が、指定されていた意図しない記録媒体の種類に設定されることが防止される。
請求項９の発明によれば、判定手段により一致と判定されなかった場合において、記憶媒体の種類の情報を用いた処理を行わない場合に比べて、記録媒体の種類を設定するためのユーザの操作が煩雑になることを抑制できる。
請求項１０の発明によれば、記録媒体の種類を設定する場合において記録媒体を用いるユーザが特定のユーザである場合に限り、過去に設定された記録媒体の種類の情報を用いて処理を行うことができる。
【図面の簡単な説明】
【０００８】
【図１】情報処理システムの全体構成例を示す図である。
【図２】画像処理装置のハードウェア構成を例示したブロック図である。
【図３】利用処理を実現するための制御部の機能構成例を示した図である。
【図４】収容部等記憶処理の流れを示したフローチャートである。
【図５】用紙情報記憶部が適用対象の収容部、用紙の大きさ、用紙の種類およびユーザを関連付けて管理するための適用対象管理テーブルの構成例を示した図である。
【図６】種類記憶処理の流れを示したフローチャートである。
【図７】（ａ）は、ユーザが用紙の種類の設定を行った場合における適用対象管理テーブルの内容を示した図であり、（ｂ）は、他のユーザが用紙の種類の設定を行った場合における適用対象管理テーブルの内容を示した図である。
【図８】利用処理の流れを示したフローチャートである。
【図９】設定処理が行われた場合において表示部に表示される通知画面の一例を示した図である。
【図１０】提案処理が行われた場合において表示部に表示される提案画面の一例を示した図である。
【図１１】画像処理装置が端末装置から印刷指示を受けた場合に行われる利用処理の流れを示したフローチャートである。
【図１２】報知処理が行われた場合において表示部に表示される報知画面の一例を示した図である。
【発明を実施するための形態】
【０００９】
以下、添付図面を参照して、本発明の実施形態について詳細に説明する。
＜情報処理システムの構成＞
図１は、本実施形態による情報処理システム１の全体構成例を示す図である。本実施形態の情報処理システム１は、処理装置の一例としての画像処理装置１０と、端末装置３０とを備える。画像処理装置１０と端末装置３０とは、ネットワーク４０を介して接続されている。
【００１０】
画像処理装置１０は、用紙等の記録媒体に画像を形成する装置であり、例えば、コピー機能、プリント機能、スキャン機能およびファクシミリ機能を備えている。
画像処理装置１０には、用紙を収容する収容部が設けられている。具体的には、画像処理装置１０には、図中上側から順に、第１収容部２０Ａ、第２収容部２０Ｂ、第３収容部２０Ｃ、第４収容部２０Ｄが設けられている。なお、以下の説明において、各収容部を区別しないで説明する場合には、単に収容部２０と称する。
【００１１】
端末装置３０は、ユーザが文書を印刷する際に操作するコンピュータ装置であり、ユーザの操作をもとに画像処理装置１０に対して印刷の指示を行う。
端末装置３０は、例えば、コンピュータ、タブレット型情報端末、その他の情報処理装置により実現される。
【００１２】
ネットワーク４０は、画像処理装置１０と端末装置３０との間の通信を担う情報通信ネットワークである。ネットワーク４０は、データの送受信が可能であれば、その種類は特に限定されず、例えばインターネット、ＬＡＮ（Local Area Network）、ＷＡＮ（Wide Area Network）等として良い。データ通信に用いられる通信回線は、有線であっても無線であっても良い。また、複数のネットワークや通信回線を介して各装置を接続する構成としても良い。
【００１３】
＜画像処理装置１０のハードウェア構成＞
図２は、画像処理装置１０のハードウェア構成を例示したブロック図である。
画像処理装置１０は、制御部１００、記憶部１０５、操作部１０６、表示部１０７、画像読み取り部１０８、画像形成部１０９、通信部１１０、画像処理部１１１を備える。なお、これらの各機能部は、バス１０１に接続され、このバス１０１を介してデータの授受を行う。
【００１４】
制御部１００は、ＣＰＵ（Central Processing Unit）１０２、ＲＯＭ（Read Only Memory）１０３、ＲＡＭ（Random Access Memory）１０４を有する。
ＣＰＵ１０２は、ＯＳ（Operating System）やアプリケーション等の各種プログラムを実行する。また、ＲＯＭ１０３は、ＣＰＵ１０２により実行される制御プログラムを記憶するメモリである。ＲＡＭ１０４は、ＣＰＵ１０２の作業用メモリ等として用いられるメモリである。
そして、ＣＰＵ１０２は、ＲＯＭ１０３に記憶されている制御プログラムを読み出し、ＲＡＭ１０４を作業エリアにして制御プログラムを実行する。ＣＰＵ１０２により制御プログラムが実行されると、画像処理装置１０における各機能が実現される。
【００１５】
操作部１０６は、ユーザの操作を受け付ける。操作部１０６は、例えば、ハードウェアキーにより構成される。また、例えば、押圧された位置に応じた制御信号を出力するタッチパネルにより構成される。
【００１６】
表示部１０７は、例えば液晶ディスプレイにより構成され、ＣＰＵ１０２の制御の下、画像処理装置１０に関するデータを表示する。また、表示部１０７は、ユーザからの操作を受け付けるメニュー画面を表示する。
本実施形態の画像処理装置１０は、複数のユーザに共用可能になっている。言い換えると、本実施形態では、複数のユーザの各々に対して、画像処理装置１０を利用するためのアカウントが与えられている。アカウントを有する一のユーザが、この一のユーザを識別する情報を画像処理装置１０に入力してログインすると、この一のユーザのアカウントに対応するメニュー画面が表示される。本実施形態では、ユーザが画像処理装置１０にログインしている場合に限り、画像処理装置１０によるコピーや印刷を行える。
ユーザを識別する情報の入力方式としては、例えば、ユーザごとに異なる情報が記録されたＩＤ（Identification）カードをＩＤカード読み取り機（不図示）にかざすことでユーザを識別する情報が読み取られる方式や、ユーザごとに登録された識別番号やパスワードをユーザ自身が表示画面に入力する方式などを適用することができる。
【００１７】
画像読み取り部１０８は、いわゆるスキャナ装置により構成され、セットされた原稿上の画像を読み取り、読み取り画像（画像データ）を生成する。
画像形成部１０９は、例えば電子写真方式を用い、画像データに応じてトナー像を用紙上に形成する。なお、画像形成部１０９としては、インクジェット方式などの他の方式により画像形成を行うものを用いてもよい。
通信部１１０は、図示しない通信回線に接続されており、通信回線に接続されている他の装置と通信を行う通信インタフェースとして機能する。
【００１８】
画像処理部１１１は、画像データが表す画像に色補正や階調補正等の画像処理を施す。
記憶部１０５は、ハードディスク装置などの記憶装置により構成され、例えば、通信部１１０で受信したデータや、画像読み取り部１０８にて生成された読み取り画像を記憶する。
【００１９】
本実施形態では、コピーや印刷が行われる場合において、画像処理装置１０が、ユーザにより設定されていた用紙の種類を、この用紙の大きさ、この用紙が収容されている収容部２０、および用紙の種類を設定したユーザと関連付けて記憶する。さらに、ユーザがコピーや印刷に用いる用紙の大きさを設定した場合に、設定された用紙の大きさ、設定された用紙が収容されている収容部、および用紙の大きさを設定したユーザが、関連付けて記憶されている用紙の大きさ、収容部、およびユーザと一致するか否かを判定する。そして、一致すると判定した場合に、記憶されている用紙の種類の情報を用いた処理（利用処理）を行う。なお、利用処理の内容については、後に詳述する。
【００２０】
また、用紙の種類とは、用紙の属性ごとの分類である。
用紙の種類としては、例えば、用紙の紙質ごとの分類が挙げられる。また、例えば、用紙の坪量ごとの分類が挙げられる。
【００２１】
＜画像処理装置１０の機能構成＞
次に、画像処理装置１０の機能構成について説明する。
図３は、利用処理を実現するための制御部１００の機能構成例を示した図である。
図３に示すように、制御部１００は、画像処理装置１０に対する設定を検知する検知部１１と、大きさおよび種類が設定されていた用紙に関する情報を記憶する用紙情報記憶部１２と、用紙の大きさが設定された際に大きさが設定された用紙に関する情報を取得する取得部１３とを備える。また、制御部１００は、設定された用紙の大きさが用紙情報記憶部１２に記憶されている用紙の大きさと一致するか否かを判定する判定部１４と、用紙の種類の設定に関する処理を行う設定部１５とを備える。
【００２２】
検知部１１は、利用処理が適用される対象（適用対象）として収容部２０が設定されたことを検知する。また、検知部１１は、適用対象として設定された収容部２０と関連付けられて適用対象として用紙の大きさが設定されたことを検知する。
【００２３】
本実施形態では、画像処理装置１０を管理する管理者が、何れの収容部２０を適用対象とするかを設定可能になっている。また、管理者が、適用対象としての収容部２０に収容される用紙のうち何れの大きさの用紙を適用対象とするかを設定可能になっている。
本実施形態では、適用対象として設定可能な収容部２０の数は限定されず、管理者は、一つ乃至四つの何れかの収容部２０を適用対象として設定可能になっている。また、適用対象としての一の収容部２０に関連付けて適用対象として設定可能な用紙の大きさの数は限定されない。
【００２４】
検知部１１は、適用対象として設定された収容部２０に係る情報、および、適用対象として設定された収容部２０に関連付けられて適用対象として設定された用紙の大きさに係る情報を、用紙情報記憶部１２へ送信する。
【００２５】
また、検知部１１は、収容部２０に収容されている用紙の種類がユーザにより更新されたことを検知する。
用紙の種類がユーザにより更新される場合としては、例えば、ユーザが画像処理装置１０の操作部１０６を操作することにより用紙の種類を更新する場合が挙げられる。また、例えば、ユーザが、特定の種類が対応付けられた大きさの用紙が収容された収容部２０を画像処理装置１０に装着させることにより、用紙の種類が、この特定の種類に更新される場合である。画像処理装置１０は、例えば、はがきが収容された収容部２０が画像処理装置１０に装着されると、用紙の種類を、はがきの大きさに対応付けられた種類としての「はがき」に設定する。操作部１０６が操作されたことや収容部２０が画像処理装置１０に装着されたことにより用紙の種類が更新された場合に、検知部１１は、収容部２０に収容されている用紙の種類がユーザにより更新されたと判定する。
【００２６】
検知部１１は、用紙の種類がユーザにより更新されたことを検知した場合において、更新の直前における用紙の種類がユーザにより設定されていた場合には、更新の直前に設定されていた用紙の種類等に係る情報を、用紙情報記憶部１２へ送信する。具体的には、検知部１１は、更新の直前における用紙の種類がユーザにより設定されていた場合には、更新の直前に設定されていた用紙の種類に係る情報、更新の直前に種類が設定されていた用紙が収容されていた収容部２０に係る情報、更新の直前に設定されていた用紙の大きさに係る情報、更新の直前における用紙の種類を設定したユーザに係る情報を、用紙情報記憶部１２へ送信する。
【００２７】
更新の直前における用紙の種類がユーザにより設定されていた場合としては、例えば、画像処理装置１０の操作部１０６が操作されたことにより、更新の直前における用紙の種類が設定されていた場合が挙げられる。操作部１０６が操作されたことにより更新の直前における用紙の種類が設定されていた場合に、検知部１１は、更新の直前における用紙の種類がユーザにより設定されていたと判定する。
更新の直前における用紙の種類を設定したユーザとしては、例えば、用紙の種類が設定されたときに画像処理装置１０にログインしているユーザが挙げられる。
【００２８】
また、更新の直前における用紙の種類が設定されたときに画像処理装置１０にログインしているユーザがいない場合において、設定された用紙の種類にてコピーまたは印刷が行われた場合、検知部１１は、コピーまたは印刷が行われたときにログインしているユーザに係る情報を、用紙情報記憶部１２へ送信する。
【００２９】
また、検知部１１は、ユーザが行う動作又は指示に基づいて、収容部２０に収容されている用紙の大きさが画像処理装置１０に対して設定されたことを検知する。
ユーザが行う動作としては、例えば、ユーザが、画像処理装置１０の本体に対して、用紙が収容されている収容部２０を装着させる動作が挙げられる。本実施形態では、画像処理装置１０に、各収容部２０に収容される用紙の大きさを検知可能な検知センサ（不図示）が設けられている。
ユーザが行う指示としては、例えば、ユーザが画像処理装置１０の操作部１０６を操作することにより画像処理装置１０に入力される用紙の大きさの指示が挙げられる。また、例えば、ユーザが端末装置３０を操作することにより画像処理装置１０に入力される用紙の大きさの指示を含む印刷指示が挙げられる。
【００３０】
収容部２０の画像処理装置１０への装着、操作部１０６の操作、および端末装置３０からの印刷指示により用紙の大きさが設定された場合に、検知部１１は、ユーザが行う動作又は指示に基づいて収容部２０に収容されている用紙の大きさが画像処理装置１０に対して設定されたと判定する。
【００３１】
検知部１１は、設定された用紙の大きさを識別可能なサイズ情報、大きさが設定された用紙が収容されている収容部２０を識別可能な収容部情報、および用紙の大きさの設定に関わったユーザを識別可能なユーザ情報を、取得部１３へ送信する。
用紙の大きさの設定に関わったユーザを識別可能なユーザ情報としては、例えば、用紙の大きさが設定されたときに画像処理装置１０にログインしているユーザの情報が挙げられる。また、例えば、端末装置３０にログインしたユーザが印刷指示を行った場合において、印刷指示を行ったユーザとして印刷指示に含まれるユーザの情報が挙げられる。
【００３２】
記憶手段の一例としての用紙情報記憶部１２は、検知部１１からの情報を取得することにより、適用対象として定められた収容部２０を、適用対象として定められた用紙の大きさと関連付けて記憶する。
なお、適用対象として設定された収容部２０は、用紙情報記憶部１２が記憶する記憶対象として予め定められた収容部２０として捉えられる。また、適用対象として設定された用紙の大きさは、用紙情報記憶部１２が記憶する記憶対象として予め定められた用紙の大きさとして捉えられる。
【００３３】
また、用紙情報記憶部１２は、検知部１１からの情報を取得することにより、用紙の種類がユーザにより更新される直前に設定されていた用紙の種類等を記憶する。具体的には、用紙情報記憶部１２は、更新の直前に種類が設定されていた用紙が収容されていた収容部２０と、更新の直前に設定されていた用紙の種類および大きさと、更新の直前における用紙の種類を設定したユーザとを関連付けて記憶する。
一方、用紙情報記憶部１２は、更新の直前に種類が設定されていた用紙が収容されていた収容部２０が適用対象ではない場合、この用紙の大きさに関わらず、更新の直前に設定されていた用紙の種類を記憶しない。また、用紙情報記憶部１２は、更新の直前に種類が設定されていた用紙が収容されていた収容部２０が適用対象である一方でこの用紙の大きさが適用対象でない場合、更新の直前に設定されていた用紙の種類を記憶しない。
【００３４】
また、用紙情報記憶部１２は、収容部２０に収容されていた用紙の種類を記憶する場合に、この収容部２０に関連付けられて用紙の種類が既に記憶されている場合、記憶する用紙の種類を、この種類に関連付けられる用紙の大きさおよびユーザとともに上書きする。
【００３５】
ここで、新たに記憶しようとする用紙の大きさが、既に記憶されている用紙の大きさと異なる大きさである場合には、新たに記憶しようとする用紙の種類およびユーザが、既に記憶されている用紙の種類およびユーザと同じであっても、上書きが行われる。すなわち、用紙情報記憶部１２には、適用対象である一の収容部２０に対して用紙の一の大きさのみが、ユーザおよび用紙の種類と関連付けられて記憶される。
また、新たに記憶しようとするユーザが、既に記憶されているユーザと異なる場合には、新たに記憶しようとする用紙の大きさおよび種類が、既に記憶されている用紙の大きさおよび種類と同じであっても、上書きが行われる。すなわち、用紙情報記憶部１２には、適用対象である一の収容部２０に対して一のユーザ（一のアカウントが与えられているユーザ）のみが、用紙の大きさおよび種類と関連付けられて記憶される。
【００３６】
なお、本実施形態では、用紙情報記憶部１２は、画像処理装置１０に対して設定されている用紙の種類が更新されると、この更新の直前に設定されていた用紙の種類を記憶しているが、これに限定されない。
例えば、用紙情報記憶部１２は、画像処理装置１０に対して用紙の種類が設定されると、検知部１１から用紙の種類の設定に係る情報を取得することにより、設定された用紙の種類を記憶してもよい。そして、画像処理装置１０に対して設定されている用紙の種類が更新されると、検知部１１から更新に係る情報を取得することにより、記憶している用紙の種類（更新の直前に設定されていた用紙の種類）を、判定部１４による判定に用いられる対象として適用するようにしてもよい。
【００３７】
また、本実施形態では、用紙情報記憶部１２は、用紙の種類を既に記憶している場合において、画像処理装置１０に対して設定されている用紙の種類が更新されると、記憶する用紙の種類を上書きしているが、これに限定されない。
例えば、用紙情報記憶部１２は、判定部１４による判定に用いられる対象としての用紙の種類を記憶している場合において、画像処理装置１０に対して設定されている用紙の種類が更新されると、記憶している用紙の種類を上書きせずに、判定に用いられる対象を、更新の直前に設定されていた用紙の種類に更新するようにしてもよい。
【００３８】
取得手段の一例としての取得部１３は、検知部１１から取得したサイズ情報、収容部情報、ユーザ情報とを関連付けて保持する。以下では、関連付けられたサイズ情報、収容部情報、およびユーザ情報を総称して識別情報と呼ぶ。
取得部１３は、識別情報を取得したことを通知する情報（通知情報）を、判定部１４へ送信する。
【００３９】
判定部１４は、収容部２０に収容されている用紙に対して設定された大きさおよびこの設定に関わったユーザが、この収容部２０に関連付けられて用紙情報記憶部１２に記憶されている用紙の大きさおよびユーザと一致するか否かを判定する。具体的には、判定部１４は、通知情報を取得すると、取得部１３により取得された識別情報と、用紙情報記憶部１２に記憶されている情報を参照する。そして、識別情報により識別される収容部２０、ユーザおよび用紙の大きさが、用紙情報記憶部１２に関連付けられて記憶されている収容部２０、ユーザおよび用紙の大きさと一致するか否かを判定する。そして、一致する場合にはその旨を示す情報（一致情報）を、設定部１５に送信する。
【００４０】
設定部１５は、判定部１４から一致情報を取得すると、収容部２０に収容され大きさが設定された用紙の種類に関して、この収容部２０に関連付けられて用紙情報記憶部１２に記憶されている用紙の種類の情報を用いて処理を行う。
記憶されている用紙の種類の情報を用いた処理としては、例えば、収容部２０に収容され大きさが設定された用紙の種類を、この収容部２０に関連付けられて用紙情報記憶部１２に記憶されている用紙の種類に設定する処理（設定処理）が挙げられる。また、例えば、収容部２０に収容され大きさが設定された用紙の種類として、この収容部２０に関連付けられて用紙情報記憶部１２に記憶されている用紙の種類に設定することをユーザに提案する処理（提案処理）が挙げられる。設定処理および提案処理のうち、何れの処理を設定部１５に行わせるかは、管理者により設定可能になっている。
【００４１】
検知部１１、用紙情報記憶部１２、取得部１３、判定部１４、設定部１５は、ソフトウェアとハードウェア資源とが協働することにより実現される。
具体的には、本実施形態では、ＲＯＭ１０３（図１参照）や記憶部１０５に、オペレーティングシステム、オペレーティングシステムと協働して実行されるアプリケーションソフト等が記憶されている。そして、本実施形態では、ＣＰＵ１０２が、これらのプログラムをＲＯＭ１０３等から主記憶装置であるＲＡＭ１０４に読み込み、実行することで、検知部１１、取得部１３、判定部１４、設定部１５の各機能部が実現される。
また、用紙情報記憶部１２は、ＲＯＭ１０３や記憶部１０５などにより実現される。
【００４２】
＜収容部２０および用紙の大きさを記憶する処理＞
次に、用紙情報記憶部１２が適用対象の収容部２０および適用対象の用紙の大きさを記憶する処理（収容部等記憶処理）について説明する。
図４は、収容部等記憶処理の流れを示したフローチャートである。図５は、用紙情報記憶部１２が適用対象の収容部２０、用紙の大きさ、用紙の種類およびユーザを関連付けて管理するための適用対象管理テーブルの構成例を示した図である。
以下では、管理者が、第１収容部２０Ａを適用対象に設定するとともにこの第１収容部２０Ａに収容されるＡ４サイズの用紙およびＢ５サイズの用紙を適用対象に設定し、さらに、第２収容部２０Ｂを適用対象に設定するとともにこの第２収容部２０Ｂに収容されるＡ３サイズの用紙を適用対象に設定する場合について説明する。
【００４３】
図４に示すように、まず、検知部１１は、適用対象となる収容部２０が設定されたか否かを判定する（ステップ（以下、Ｓと記載する）１０１）。否定結果が継続している間、検知部１１は、ステップ１０１の判定動作を繰り返す。
【００４４】
一方、管理者が画像処理装置１０に対して適用対象となる収容部２０を入力した場合、検知部１１は、肯定結果を得てステップ１０２に進む。
検知部１１は、管理者により適用対象として入力された収容部２０に係る情報を、用紙情報記憶部１２へ送信する。用紙情報記憶部１２は、適用対象として入力された収容部２０を記憶する（Ｓ１０２）。
本例では、管理者が、適用対象として第１収容部２０Ａおよび第２収容部２０Ｂを設定することにより、用紙情報記憶部１２は、第１収容部２０Ａおよび第２収容部２０Ｂを記憶する。
【００４５】
次に、検知部１１は、適用対象の収容部２０に収容される用紙のうち適用対象となる用紙の大きさが設定されたか否かを判定する（Ｓ１０３）。否定結果が継続している間、検知部１１は、ステップ１０３の判定動作を繰り返す。
【００４６】
一方、管理者が画像処理装置１０に対して適用対象となる用紙の大きさを入力した場合、検知部１１は、肯定結果を得てステップ１０４に進む。
検知部１１は、管理者により適用対象として入力された用紙の大きさに係る情報を、用紙情報記憶部１２へ送信する。用紙情報記憶部１２は、適用対象として入力された用紙の大きさを、適用対象としての収容部２０に関連付けて記憶する（Ｓ１０４）。
本例では、管理者が、第１収容部２０Ａに収容されるＡ４サイズの用紙およびＢ５サイズの用紙を適用対象として設定することにより、用紙情報記憶部１２は、Ａ４サイズおよびＢ５サイズを第１収容部２０Ａに関連付けて記憶する。また、管理者が、第２収容部２０Ｂに収容されるＡ３サイズの用紙を適用対象として設定することにより、用紙情報記憶部１２は、Ａ３サイズを第２収容部２０Ｂに関連付けて記憶する。
【００４７】
図５に示す適用対象管理テーブルでは、「収容部」に、適用対象として管理者に設定された収容部２０が示されている。また、「用紙の大きさ」に、適用対象として管理者に設定された用紙の大きさが、適用対象としての収容部２０に関連付けられて示されている。
本例では、適用対象管理テーブルにおいて、第１収容部２０Ａに、Ａ４サイズおよびＢ５サイズが関連付けられている。また、第２収容部２０Ｂに、Ａ３サイズが関連付けられている。
【００４８】
＜用紙の種類を記憶する処理＞
次に、ユーザにより設定されていた用紙の種類を記憶する処理（種類記憶処理）について説明する。
図６は、種類記憶処理の流れを示したフローチャートである。
まず、検知部１１は、画像処理装置１０に対して設定されている用紙の種類がユーザにより更新されたか否かを判定する（Ｓ２０１）。否定結果が継続している間、検知部１１は、ステップ２０１の判定動作を繰り返す。
【００４９】
一方、ユーザにより用紙の種類が更新された場合、検知部１１は、肯定結果を得てステップ２０２に進む。
検知部１１は、ユーザにより用紙の種類が更新されるまで画像処理装置１０に対して設定されていた用紙の種類、すなわち、用紙の種類が更新される直前に設定されていた用紙の種類が、ユーザにより設定されていたか否かを判定する（Ｓ２０２）。
更新の直前に設定されていた用紙の種類がユーザにより設定されていない場合（Ｓ２０２にてＮＯ）、種類記憶処理を終了する。
【００５０】
一方、更新の直前に設定されていた用紙の種類がユーザにより設定されていた場合（Ｓ２０２にてＹＥＳ）、ステップ２０３に進む。
検知部１１は、更新の直前に設定されていた用紙の種類に係る情報、更新の直前に種類が設定されていた用紙が収容されていた収容部２０に係る情報、更新の直前に設定されていた用紙の大きさに係る情報、更新の直前における用紙の種類を設定したユーザに係る情報を、用紙情報記憶部１２へ送信する。用紙情報記憶部１２は、更新の直前に種類が設定されていた用紙が収容されていた収容部２０および更新の直前に設定されていた用紙の大きさが、関連付けて記憶している収容部２０および用紙の大きさであるか否かを判定する（Ｓ２０３）。否定結果が得られた場合、種類記憶処理を終了する。
【００５１】
ステップ２０３で肯定結果が得られた場合、用紙情報記憶部１２は、更新の直前に種類が設定されていた用紙が収容されていた収容部２０に関連付けて用紙の種類を既に記憶しているか否かを判定する（Ｓ２０４）。否定結果が得られた場合、用紙情報記憶部１２は、更新の直前に種類が設定されていた用紙が収容されていた収容部２０と、更新の直前に設定されていた用紙の種類および大きさと、更新の直前における用紙の種類を設定したユーザとをそれぞれ関連付けて記憶する（Ｓ２０５）。これにより、適用対象管理テーブル（図５参照）には、「収容部」および「用紙の大きさ」に関連付けられた「用紙の種類」および「ユーザ」が示される。
【００５２】
ステップ２０４で肯定結果が得られた場合、用紙情報記憶部１２は、更新の直前に種類が設定されていた用紙が収容されていた収容部２０に関連付けて記憶している用紙の大きさが、更新の直前に設定されていた用紙の大きさと同じ大きさであるか否かを判定する（Ｓ２０６）。肯定結果が得られた場合、用紙情報記憶部１２は、更新の直前に種類が設定されていた用紙が収容されていた収容部２０に関連付けて記憶しているユーザが、更新の直前における用紙の種類を設定したユーザと同じユーザであるか否かを判定する（Ｓ２０７）。
ステップ２０７で肯定結果が得られた場合、用紙情報記憶部１２は、更新の直前に種類が設定されていた用紙が収容されていた収容部２０と、更新の直前に設定されていた用紙の種類および大きさと、更新の直前における用紙の種類を設定したユーザとを関連付けて既に記憶しているため、種類記憶処理を終了する。
【００５３】
ステップ２０６およびステップ２０７の何れかで否定結果が得られた場合、ステップ２０８に進む。
次に、用紙情報記憶部１２は、用紙の種類等を上書きする（Ｓ２０８）。すなわち、用紙情報記憶部１２は、更新の直前に種類が設定されていた用紙が収容されていた収容部２０に関連付けて記憶していた用紙の種類とユーザとを、記憶領域から消去する。そして、更新の直前に種類が設定されていた用紙が収容されていた収容部２０と、更新の直前に設定されていた用紙の種類および大きさと、更新の直前における用紙の種類を設定したユーザとを関連付けて記憶する。
【００５４】
なお、ステップ２０７の判定において、更新の直前における用紙の種類が設定されたときに画像処理装置１０にユーザがログインしていなかった場合、否定結果が得られる。この場合、用紙情報記憶部１２に記憶される情報が上書きされるが（Ｓ２０８）、上書きされることにより適用対象管理テーブルに記憶される用紙の種類にはユーザが関連付けられない。
【００５５】
次に、用紙情報記憶部１２が、図５に示した内容の適用対象管理テーブルを格納している場合において、ユーザが用紙の種類を設定した場合に更新される適用対象管理テーブルの内容について、図６に示したフローチャートに従って説明する。
以下では、ユーザＡが、第１収容部２０Ａに収容されているＢ５サイズの用紙の種類を厚紙に設定した後に、第１収容部２０Ａに収容されているＢ５サイズの用紙を取り出してＡ４サイズの用紙を収容し、用紙の種類を厚紙に設定する例について説明する。さらにその後、ユーザＢが、第１収容部２０Ａに収容されているＡ４サイズの用紙の種類を厚紙に設定した後に、第１収容部２０Ａに収容されているＡ４サイズの用紙を取り出してはがきを収容する例について説明する。図７（ａ）は、ユーザＡが用紙の種類の設定を行った場合における適用対象管理テーブルの内容を示した図であり、図７（ｂ）は、ユーザＢが用紙の種類の設定を行った場合における適用対象管理テーブルの内容を示した図である。
【００５６】
まず、ユーザＡは、画像処理装置１０にログインし、第１収容部２０Ａに収容されているＢ５サイズの用紙に対してデフォルトで設定されている種類としての普通紙を、厚紙に更新する（図６のＳ２０１）。ユーザＡが用紙の種類を更新する直前に設定されていた用紙の種類は、ユーザにより設定されていないため（図６のＳ２０２にてＮＯ）、種類記憶処理が終了する。ユーザＡは、例えば、Ｂ５サイズの用紙を用いて、設定した条件にてコピーを行う。
【００５７】
次に、ユーザＡは、第１収容部２０Ａに収容されているＢ５サイズの用紙を取り出してＡ４サイズの用紙を収容し、Ａ４サイズの用紙の種類を厚紙に更新する（図６のＳ２０１）。更新の直前においてＢ５サイズの用紙に対して設定されていた用紙の種類としての厚紙は、ユーザＡにより設定されている（図６のＳ２０２にてＹＥＳ）。また、更新の直前に種類が設定されていた用紙が収容されていた第１収容部２０Ａおよび更新の直前に設定されていた用紙の大きさであるＢ５サイズは、適用対象の収容部２０（図５参照）およびこの収容部２０に適用対象として関連付けられた用紙の大きさである（図６のＳ２０３にてＹＥＳ）。
【００５８】
用紙情報記憶部１２には、第１収容部２０Ａに関連付けられて用紙の種類が記憶されていない（図６のＳ２０４にてＮＯ）。そのため、用紙情報記憶部１２は、図７（ａ）に示すように、第１収容部２０Ａと、用紙の種類としての厚紙と、用紙の大きさとしてのＢ５サイズと、ユーザＡとを関連付けて記憶する（Ｓ２０５）。ユーザＡは、例えば、Ａ４サイズの用紙を用いて、設定した条件にてコピーを行い、その後ログアウトする。ユーザＡがログアウトから予め定められた時間（例えば３０秒）が経過すると、画像処理装置１０は、用紙の種類を、デフォルトの設定である普通紙に戻す。
【００５９】
続いて、ユーザＢが、画像処理装置１０にログインし、第１収容部２０Ａに収容されているＡ４サイズの用紙に対してデフォルトで設定されている種類としての普通紙を、厚紙に更新する（図６のＳ２０１）。ユーザＢが用紙の種類を更新する直前に設定されていた用紙の種類は、ユーザにより設定されていないため（図６のＳ２０２にてＮＯ）、種類記憶処理が終了する。ユーザＢは、例えば、Ａ４サイズの用紙を用いて、設定した条件にてコピーを行う。
【００６０】
次に、ユーザＢは、第１収容部２０Ａに収容されているＡ４サイズの用紙を取り出してはがきを収容する。これにより、画像処理装置１０は、第１収容部２０Ａに収容された用紙の種類を、「はがき」に更新する（図６のＳ２０１）。更新の直前においてＡ４サイズの用紙に対して設定されていた用紙の種類としての厚紙は、ユーザＢにより設定されている（図６のＳ２０２にてＹＥＳ）。また、更新の直前に種類が設定されていた用紙が収容されていた第１収容部２０Ａおよび更新の直前に設定されていた用紙の大きさであるＡ４サイズは、適用対象の収容部２０（図５参照）およびこの収容部２０に適用対象として関連付けられた用紙の大きさである（図６のＳ２０３にてＹＥＳ）。
【００６１】
用紙情報記憶部１２には、第１収容部２０Ａに関連付けられて用紙の種類としての厚紙（図７（ａ）参照）が既に記憶されている（図６のＳ２０４にてＹＥＳ）。また、第１収容部２０Ａに関連付けられて記憶されている用紙の大きさであるＢ５サイズは、用紙の種類がはがきに更新される直前に設定されていた用紙の大きさであるＡ４サイズとは同じ大きさではない（図６のＳ２０６にてＮＯ）。
そのため、用紙情報記憶部１２は、第１収容部２０Ａに関連付けられて記憶されていた用紙の種類である厚紙およびユーザＡを記憶領域から消去する。そして、図７（ｂ）に示すように、第１収容部２０Ａと、Ａ４サイズと、厚紙と、ユーザＢとを関連付けて記憶する（図６のＳ２０８）。ユーザＢは、例えば、はがきを用いて、設定した条件にてコピーを行う。
【００６２】
＜利用処理＞
次に、利用処理の流れについて説明する。
図８は、利用処理の流れを示したフローチャートである。図８に示す利用処理は、画像処理装置１０に対するユーザの指示や動作により用紙の大きさが設定されたことが検知部１１により検知された場合に行われる。
以下では、ユーザＢが、上記の通り第１収容部２０Ａにはがきを収容した後、第１収容部２０Ａに収容されているはがきを取り出して再びＡ４サイズの用紙を収容する例について説明する。この場合において、適用対象管理テーブルには、図７（ｂ）に示した内容が記載されているものとする。
【００６３】
まず、取得部１３は、設定された大きさに係るサイズ情報、大きさが設定された用紙が収容されている収容部２０に係る収容部情報、および、用紙の大きさの設定に関わったユーザに係るユーザ情報を検知部１１から取得する（Ｓ３０１）。取得部１３は、取得した情報のそれぞれを関連付けて識別情報として保持する。
本例では、ユーザＢが第１収容部２０Ａに収容されているはがきを取り出してＡ４サイズの用紙を収容することにより、第１収容部２０Ａに収容された用紙の大きさがＡ４サイズに設定される。取得部１３は、用紙の大きさであるＡ４サイズ、Ａ４サイズの用紙が収容されている第１収容部２０Ａ、および用紙の大きさの設定に関わったユーザＢを、それぞれ関連付けて識別情報として保持する。
【００６４】
次に、判定部１４は、取得部１３により取得された識別情報により識別される収容部２０、用紙の大きさ、およびユーザが、用紙情報記憶部１２に関連付けられて記憶されている収容部２０、用紙の大きさおよびユーザであるか否かを判定する（Ｓ３０２）。
否定結果が得られた場合、設定部１５は、大きさが設定された用紙の種類を、デフォルトの設定である普通紙に設定する（Ｓ３０３）。すなわち、識別情報により識別される収容部２０、用紙の大きさ、およびユーザが、用紙情報記憶部１２に関連付けられて記憶されている収容部２０、用紙の大きさおよびユーザと一致しない場合、設定部１５は、用紙情報記憶部１２に記憶されている用紙の種類の情報を用いた処理を行わない。
【００６５】
本例では、取得部１３により取得された識別情報により識別される収容部２０である第１収容部２０Ａ、用紙の大きさであるＡ４サイズ、およびユーザＢが、用紙情報記憶部１２に関連付けて記憶されている収容部２０、用紙の大きさ、およびユーザと一致する（図７（ｂ）参照）ため（Ｓ３０２にてＹＥＳ）、次のステップに進む。
【００６６】
設定部１５は、大きさが設定された用紙に対して現在設定されている用紙の種類が、識別情報により識別される収容部２０に関連付けられて用紙情報記憶部１２に記憶されている用紙の種類であるか否かを判定する（Ｓ３０４）。肯定結果が得られた場合、用紙の種類を変更する必要がないため、利用処理を終了する。
本例では、Ａ４サイズに設定された用紙に対して現在設定されている用紙の種類は、第１収容部２０Ａに関連付けられて記憶されている用紙の種類である厚紙ではないため、否定結果が得られ、次のステップに進む。
【００６７】
設定部１５は、用紙情報記憶部１２に記憶されている用紙の種類の情報を用いた処理として、設定処理が設定されているか否かを判定する（Ｓ３０５）。肯定結果が得られた場合（Ｓ３０５にてＹＥＳ）、設定部１５は、大きさが設定された用紙の種類を、識別情報により識別される収容部２０に関連付けられて用紙情報記憶部１２に記憶されている用紙の種類に設定する（Ｓ３０６）。さらに、設定部１５は、記憶されている用紙の種類に設定したことをユーザに通知するための通知画面を表示部１０７に表示させる。
本例では、設定部１５により行われる処理として設定処理が設定されている場合、第１収容部２０Ａに収容されているＡ４サイズの用紙の種類を、第１収容部２０Ａに関連付けられて用紙情報記憶部１２に記憶されている用紙の種類である厚紙に設定する。
【００６８】
図９は、設定処理が行われた場合において表示部１０７に表示される通知画面２００の一例を示した図である。
通知画面２００には、用紙の種類を設定したことを通知するための設定情報２０１と、過去のユーザの設定の履歴を通知するための履歴情報２０２と、設定が適用される収容部２０を示す対象収容部情報２０３とが表示されている。
【００６９】
設定情報２０１には、用紙の種類を、用紙情報記憶部１２に記憶されている用紙の種類に設定したことを通知する情報が表示されている。
本例では、設定情報２０１として、「第１収容部に収容されているＡ４サイズの用紙の種類を厚紙に設定しました。」というメッセージが表示される。
【００７０】
履歴情報２０２には、収容部２０に収容されている用紙の大きさの設定に関わったユーザが、過去に同じ収容部２０に収容されていた用紙の種類を設定した履歴が表示されている。具体的には、履歴情報２０２には、用紙の種類の設定が適用される収容部２０、この収容部２０に関連付けられて用紙情報記憶部１２に記憶されているユーザ、用紙の大きさ、および用紙の種類が表示される。
本例では、履歴情報２０２として、「第１収容部では、用紙の種類としてはがきが設定される直前まで、Ｂさんにより、Ａ４サイズの用紙の種類として厚紙が設定されていました。」というメッセージが表示される。
【００７１】
対象収容部情報２０３においては、用紙の種類の設定が適用される収容部２０を識別可能に画像処理装置１０の外観図（図１参照）が描かれている。
本例では、対象収容部情報２０３として描かれた画像処理装置１０において、第１収容部２０Ａが実線で囲まれている。
【００７２】
図８の説明に戻る。ステップ３０５で否定結果が得られた場合、設定部１５により行われる処理として提案処理が設定されている。この場合、設定部１５は、大きさが設定された用紙の種類を、識別情報により識別される収容部２０に関連付けられて用紙情報記憶部１２に記憶されている用紙の種類に設定することをユーザに提案する（Ｓ３０７）。具体的には、設定部１５は、記憶されている用紙の種類に設定することをユーザに提案するための提案画面を表示部１０７に表示させる。
【００７３】
次に、設定部１５は、提案がユーザに承認されたか否かを判定する（Ｓ３０８）。肯定結果が得られた場合、設定部１５は、大きさが設定された用紙の種類を、用紙情報記憶部１２に記憶されている用紙の種類に設定する（Ｓ３０６）。否定結果が得られた場合、用紙情報記憶部１２は、識別情報により識別される収容部２０に関連付けて記憶した用紙の種類およびユーザを記憶領域から消去する（Ｓ３０９）。設定部１５は、大きさが設定された用紙の種類を、デフォルトの設定である普通紙に設定する（Ｓ３０３）。
【００７４】
図１０は、提案処理が行われた場合において表示部１０７に表示される提案画面２１０の一例を示した図である。
提案画面２１０には、過去のユーザの設定の履歴を通知するための履歴情報２１１と、用紙の種類を提案するための提案情報２１２と、設定が適用される収容部２０を示す対象収容部情報２１３とが表示されている。また、提案画面２１０には、ユーザが提案を承認するための承認ボタン２１４と、ユーザが提案を拒否するための拒否ボタン２１５とが表示されている。
【００７５】
履歴情報２１１には、収容部２０に収容されている用紙の大きさの設定に関わったユーザが、過去に同じ収容部２０に収容されていた用紙の種類を設定した履歴が表示されている。具体的には、履歴情報２１１には、用紙の種類の設定が適用される収容部２０、この収容部２０に関連付けられて記憶されている用紙情報記憶部１２に記憶されているユーザ、用紙の大きさ、および用紙の種類が表示される。
本例では、履歴情報２１１として、「第１収容部では、用紙の種類としてはがきが設定される直前まで、Ｂさんにより、Ａ４サイズの用紙の種類として厚紙が設定されていました。」というメッセージが表示される。
【００７６】
提案情報２１２には、用紙情報記憶部１２に記憶されている用紙の種類への設定を提案するための情報が表示されている。
本例では、提案情報２１２として、「第１収容部に収容されているＡ４サイズの用紙の種類を厚紙に設定しますか？」というメッセージが表示される。
【００７７】
対象収容部情報２０３においては、用紙の種類の設定が適用される収容部２０を識別可能に画像処理装置１０の外観図が描かれている。
本例では、対象収容部情報２０３として描かれた画像処理装置１０において、第１収容部２０Ａが実線で囲まれている。
【００７８】
本例では、ユーザが承認ボタン２１４を選択すると、第１収容部２０Ａに収容されているＡ４サイズの用紙の種類が厚紙に設定される。一方、ユーザが拒否ボタン２１５を選択すると、第１収容部２０Ａに収容されているＡ４サイズの用紙の種類がデフォルトの設定である普通紙に設定される。さらに、用紙情報記憶部１２は、第１収容部２０Ａに関連付けて記憶した用紙の種類である厚紙、およびユーザＢを記憶領域から消去する。
【００７９】
このように、本実施形態では、ユーザが行う動作又は指示に基づいて用紙の大きさが設定されると、用紙の大きさの設定に関わったユーザおよびこの用紙の大きさが、用紙情報記憶部１２に関連付けられて記憶されているユーザおよび用紙の大きさと一致するか否かが判定される。そして、一致する場合に、記憶されている用紙の種類の情報を用いて処理が行われる。
【００８０】
ここで、例えば、ユーザが用紙の大きさを設定した場合に、このユーザが過去に同じ大きさの用紙に対して種類を設定したユーザであるか否かに関わらず、過去に設定された種類の情報を用いた処理が行われると、ユーザが意図しない用紙の種類の情報を用いた処理となる場合がある。
【００８１】
これに対し、本実施形態では、用紙の大きさの設定に関わったユーザが、過去に同じ大きさの用紙の設定に関わったユーザと一致する場合に、記憶されている用紙の種類の情報を用いて処理を行うことで、用紙の大きさの設定に関わったユーザが特定のユーザである場合に限り、過去に設定された用紙の種類の情報を用いた処理を行うようにしている。
【００８２】
また、本実施形態では、用紙情報記憶部１２は、画像処理装置１０に対して設定されている用紙の種類が更新されると、更新の直前に設定されていた用紙の種類を、判定部１４による判定に用いられる対象として適用する。
【００８３】
例えば、ユーザが、収容部２０に収容されている用紙の種類を設定してコピー等を行った後に、収容部２０に収容されている用紙を取り出して他の用紙を収容することがある。ここで、新たに収容された用紙が、上記したはがきのように特定の種類が対応付けられた特定の大きさの用紙であると、用紙の種類が特定の種類に設定されるが、ユーザは、用紙の種類が更新されたことに気付かない場合がある。この場合において、収容部２０に元の用紙を戻しても用紙の種類が特定の種類のままであると、ユーザが意図しない用紙の種類にてコピー等を行う場合がある。
【００８４】
これに対し、設定されている用紙の種類が更新されると更新の直前に設定されていた用紙の種類を判定に用いられる対象として適用する場合、上記のように特定の大きさの用紙が収容される前に収容されていた用紙を収容部２０に戻して大きさが設定されると、判定部１４により、設定された用紙の大きさおよびこの設定に関わったユーザが、判定に用いられる対象として適用される用紙の大きさおよびユーザと一致すると判定される。そして、収容部２０に特定の大きさの用紙が収容される前に収容されていた用紙に設定されていた種類の情報を用いた処理が行われる。
この場合、ユーザが意図しない用紙の種類にてコピー等が行われることが抑制される。
【００８５】
また、本実施形態では、用紙情報記憶部１２は、判定部１４による判定に用いられる対象としての用紙の種類を記憶している場合において、設定されている用紙の種類が更新されると、判定に用いられる対象を、更新の直前に設定されていた用紙の種類に更新する。
【００８６】
例えば、設定されている用紙の種類が更新されても、判定に用いられていた用紙の種類が判定に用いられる対象として残り続けると、判定に用いられる用紙の種類が多くなる分だけ、設定された用紙の大きさと判定に用いられる用紙の大きさとが一致しやすくなり、利用処理が行われやすくなる。一方、ユーザが設定しようとする用紙の種類として意図する種類が一つであるにも関わらず、判定に用いられる用紙の種類が多くなると、ユーザが意図しない用紙の種類に係る利用処理が行われやすくなる。
【００８７】
これに対し、本実施形態のように、設定されている用紙の種類が更新されると、判定に用いられていた用紙の種類が判定に用いられる対象ではなくなる場合、ユーザが意図しない用紙の種類の情報を用いた処理が行われることが抑制される。
【００８８】
また、本実施形態では、記憶対象として予め定められた収容部２０に収容されている用紙に対して設定された種類を記憶する一方、記憶対象として定められていない収容部２０に収容されている用紙に対して設定された種類を記憶しない。
この場合、利用処理が行われる対象を収容部２０ごとに定められる。
【００８９】
また、本実施形態では、記憶対象として予め定められた収容部２０に収容され記憶対象として予め定められた大きさである用紙に対して設定された種類を記憶する一方、記憶対象として定められた収容部２０に収容され記憶対象として定められていない大きさである用紙に対して設定された種類を記憶しない。
この場合、利用処理が行われる対象を用紙の大きさごとに定められる。
【００９０】
また、本実施形態では、提案処理が行われた場合において、提案がユーザに拒否された場合、用紙情報記憶部１２は、判定に用いられる対象として記憶していた用紙の種類を、判定に用いられる対象から外す。
【００９１】
提案処理において提案された用紙の種類がユーザに拒否された場合、この用紙の種類は、ユーザが用紙の種類の設定において意図しない用紙の種類であると考えられる。この場合において、拒否された用紙の種類が判定に用いられる対象として残り続けると、ユーザが次に用紙の大きさを設定した場合にこの意図しない用紙の種類が再度提案される場合がある。
【００９２】
これに対し、本実施形態のように、ユーザに拒否された用紙の種類を判定に用いられる対象から外すことにより、用紙の種類の設定においてユーザが意図しない用紙の種類が再度ユーザに提案されることが抑制される。
【００９３】
また、本実施形態では、識別情報により識別される収容部２０、用紙の大きさおよびユーザが、用紙情報記憶部１２に関連付けられて記憶されている収容部２０、用紙の大きさおよびユーザと一致すると判定部１４により判定されなかった場合に、大きさが設定された用紙の種類を、デフォルトの種類に設定する。
【００９４】
識別情報により識別される収容部２０、用紙の大きさおよびユーザが、用紙情報記憶部１２に関連付けられて記憶されている収容部２０、用紙の大きさおよびユーザと一致しない場合、設定処理や提案処理が行われない。この場合に、大きさが設定された用紙の種類を、何れの種類にも設定せずにユーザに設定させると、場合によっては、ユーザの操作が煩雑になる。
【００９５】
これに対し、本実施形態のように、設定処理や提案処理が行われない場合において、大きさが設定された用紙の種類を予め定められた種類に設定すると、設定された種類がユーザの意図する種類である場合にはユーザが種類を設定せずに済む。この場合、用紙の種類を設定するためのユーザの操作が煩雑になることが抑制される。
【００９６】
＜端末装置２０から印刷指示を受けた場合の利用処理＞
次に、画像処理装置１０が端末装置３０から印刷指示を受けた場合に行われる利用処理について説明する。
図１１は、画像処理装置１０が端末装置３０から印刷指示を受けた場合に行われる利用処理の流れを示したフローチャートである。図１１に示す利用処理は、ユーザが端末装置３０（図１参照）を操作することで画像処理装置１０に入力された用紙の大きさの指示を含む印刷指示を検知部１１が検知した場合に行われる。
【００９７】
検知部１１は、端末装置３０から印刷指示を受けると、印刷指示にて用紙の種類が指定されているか否かを判定する（Ｓ４０１）。肯定結果が得られた場合、設定部１５は、印刷に用いられる用紙の種類を、印刷指示にて指定されている種類に設定する（Ｓ４０２）。
一方、否定結果が得られた場合、取得部１３は、印刷に用いられる用紙が収容されている収容部２０に係る収容部情報、印刷指示にて指定されている用紙の大きさに係るサイズ情報、印刷指示を行ったユーザに係るユーザ情報を、検知部１１から取得する（Ｓ４０３）。取得部１３は、取得した情報をそれぞれ関連付けて識別情報として保持する。
【００９８】
判定部１４は、取得部１３により取得された識別情報により識別される収容部２０、用紙の大きさおよびユーザが、用紙情報記憶部１２に関連付けられて記憶されている収容部２０、用紙の大きさおよびユーザであるか否かを判定する（Ｓ４０４）。否定結果が得られた場合（Ｓ４０４にてＮＯ）、設定部１５は、印刷に用いられる用紙の種類を、デフォルトである普通紙に設定する（Ｓ４０５）。
肯定結果が得られた場合、設定部１５は、図８に示した利用処理と同様に、用紙情報記憶部１２に記憶されている用紙の種類の情報を用いた処理を行う（Ｓ４０６〜Ｓ４１１）。
【００９９】
このように、本実施形態では、画像処理装置１０が端末装置３０から印刷指示を受けた場合であっても、用紙情報記憶部１２に記憶されている用紙の種類の情報を用いた処理を行える。
【０１００】
また、本実施形態では、印刷指示にて用紙の種類が指定されている場合、印刷に用いられる用紙が収容されている収容部２０、印刷指示にて指定されている用紙の大きさ、印刷指示を行ったユーザが、用紙情報記憶部１２に関連付けられて記憶されている収容部２０、用紙の大きさ、ユーザと一致する場合であっても、設定部１５は、記憶されている用紙の種類に係る設定処理や提案処理を行わずに、印刷に用いられる用紙の種類を、印刷指示にて指定されている用紙の種類に設定する。
言い換えると、用紙情報記憶部１２により用紙の第１の種類が用紙の第１の大きさおよび第１のユーザと関連付けられて記憶されている場合において、用紙の大きさおよび種類を第１の大きさおよび第２の種類に設定するための第１のユーザの指示を端末装置３０を介して受けた場合、設定部１５は、大きさが指定された用紙の種類を第２の種類に設定する。
この場合、ユーザが意図した用紙の種類を指定して印刷指示を行ったにも関わらず、ユーザが意図しない用紙の種類の情報を用いた処理が行われることが防止される。
【０１０１】
なお、印刷に用いられる用紙が収容されている収容部２０、印刷指示にて指定されている用紙の大きさ、印刷指示を行ったユーザが、用紙情報記憶部１２に関連付けられて記憶されている収容部２０、用紙の大きさ、ユーザと一致する場合において設定部１５が行う処理は、上記の例に限定されない。例えば、用紙の種類を、印刷指示にて指定されている用紙の種類に設定せずに、用紙情報記憶部１２に記憶されている用紙の種類に設定してもよい。また、用紙情報記憶部１２に記憶されている用紙の種類に設定することを提案する提案処理を行ってもよい。
言い換えると、用紙情報記憶部１２により用紙の第１の種類が用紙の第１の大きさおよび第１のユーザと関連付けられて記憶されている場合において、用紙の大きさおよび種類を第１の大きさおよび第２の種類に設定するための第１のユーザの指示を端末装置３０を介して受けた場合、設定部１５は、大きさが指定された用紙の種類を第１の種類に設定してもよい。また、大きさが指定された用紙の種類を第１の種類に設定することを提案する提案処理を行ってもよい。
【０１０２】
この場合、ユーザが意図しない用紙の種類が指定された状態で印刷指示が行われた場合に、印刷に用いられる用紙の種類が、指定されていた意図しない用紙の種類に設定されることが防止される。
【０１０３】
なお、本実施形態では、用紙情報記憶部１２に記憶されている用紙の種類の情報を用いた処理として設定処理や提案処理が行われる例について説明したが、これに限定されない。
例えば、設定部１５が、用紙情報記憶部１２に記憶されている用紙の種類の情報を用いた処理として、記憶されている用紙の種類を報知する処理（報知処理）を行ってもよい。この場合に、設定部１５は、記憶されている用紙の種類を報知するための報知画面を表示部１０７に表示させてもよい。
【０１０４】
図１２は、報知処理が行われた場合において表示部１０７に表示される報知画面２２０の一例を示した図である。
報知画面２２０には、過去のユーザの設定の履歴を通知するための履歴情報２２１と、設定の対象となる収容部２０を示す対象収容部情報２２２とが表示される。
【０１０５】
履歴情報２２１には、収容部２０に収容されている用紙の大きさを設定したユーザが、過去に同じ収容部２０に収容されている用紙の種類を設定した履歴が表示される。具体的には、履歴情報２２１には、用紙の大きさの設定が適用される収容部２０、この収容部２０に関連付けられて記憶されている用紙情報記憶部１２に記憶されているユーザ、用紙の大きさ、および用紙の種類が表示される。
【０１０６】
対象収容部情報２２２においては、用紙の種類の設定の対象となる収容部２０を識別可能に画像処理装置１０の外観図が描かれている。具体的には、対象収容部情報２２２として描かれた画像処理装置１０において、設定の対象となる収容部２０が実線で囲まれる。
【０１０７】
なお、本実施形態では、画像処理装置１０の管理者が、何れの収容部２０を適用対象とするか、および、適用対象としての収容部２０に収容される用紙のうち何れの大きさの用紙を適用対象とするかを設定しているが、これに限定されない。
例えば、画像処理装置１０のユーザが、何れの収容部２０を適用対象とするか、および、適用対象としての収容部２０に収容される用紙のうち何れの大きさの用紙を適用対象とするかを設定してもよい。
【０１０８】
また、本発明の実施形態を実現するプログラムは、磁気記録媒体（磁気テープ、磁気ディスクなど）、光記憶媒体（光ディスクなど）、光磁気記録媒体、半導体メモリなどのコンピュータが読取可能な記録媒体に記憶した状態で提供し得る。また、インターネットなどの通信手段を用いて提供することも可能である。
【０１０９】
また、本開示は上記の実施形態に何ら限定されるものではなく、本開示の要旨を逸脱しない範囲で種々の形態で実施することができる。
【符号の説明】
【０１１０】
１…情報処理システム、１０…画像処理装置、１１…検知部、１２…用紙情報記憶部、１３…取得部、１４…判定部、１５…設定部、２０…収容部、３０…端末装置
【図１】
2019188694.tif 000003
【図２】
2019188694.tif 000004
【図３】
2019188694.tif 000005
【図４】
2019188694.tif 000006
【図５】
2019188694.tif 000007
【図６】
2019188694.tif 000008
【図７】
2019188694.tif 000009
【図８】
2019188694.tif 000010
【図９】
2019188694.tif 000011
【図１０】
2019188694.tif 000012
【図１１】
2019188694.tif 000013
【図１２】
2019188694.tif 000014